(57)【特許請求の範囲】
【請求項１】
外筒ブッシュ部を有する下部フレーム組立と、前記外筒ブッシュ部に嵌合して回転される内筒ブッシュ部を保持するスリーブ部と前記スリーブ部の上部に延在するフランジ部とを有する偏心スリーブ組立と、前記内筒ブッシュ部に嵌合して旋動されるマントルを保持する主軸組立と、前記フランジ部に回転動力を伝達する回転動力伝達系と、を備え、旋動するマントルとコーンケーブとの間で被破砕物を破砕する旋動式破砕機において、前記主軸組立と前記内筒ブッシュ部との間の第１軸受部および前記スリーブ部と前記外筒ブッシュ部との間の第２軸受部にそれぞれ潤滑油を供給するための給油方法であって、
前記第１軸受部の潤滑油および前記第２軸受部の潤滑油の両方を、前記下部フレーム組立の底部に開口する給油入口から供給し、
前記スリーブ部の下端部と前記下部フレーム組立の底部との間に仕切板を設けて、前記給油入口から前記第１軸受部に供給される潤滑油の流量と、前記給油入口から前記第２軸受部に供給される潤滑油の流量と、を制御する
ことを特徴とする給油方法。
【請求項２】
前記内筒ブッシュ部、前記スリーブ部または前記外筒ブッシュ部に縦溝部を設けて、前記給油入口から前記第１軸受部に供給される潤滑油の流量と、前記給油入口から前記第２軸受部に供給される潤滑油の流量と、を制御する
ことを特徴とする請求項１に記載の給油方法。
【請求項３】
外筒ブッシュ部を有する下部フレーム組立と、前記外筒ブッシュ部に嵌合して回転される内筒ブッシュ部を保持するスリーブ部と前記スリーブ部の上部に延在するフランジ部とを有する偏心スリーブ組立と、前記内筒ブッシュ部に嵌合して旋動されるマントルを保持する主軸組立と、前記フランジ部に回転動力を伝達する回転動力伝達系と、を備え、旋動するマントルとコーンケーブとの間で被破砕物を破砕する旋動式破砕機において、前記主軸組立と前記内筒ブッシュ部との間の第１軸受部および前記スリーブ部と前記外筒ブッシュ部との間の第２軸受部にそれぞれ潤滑油を供給するための給油構造であって、
前記下部フレーム組立の底部に開口する給油入口を有し、
前記給油入口は、前記第１軸受部の潤滑油および前記第２軸受部の潤滑油の両方を供給するようになっており、
前記スリーブ部の下端部と下部フレーム組立の底部との間には、前記給油入口から前記第１軸受部に供給される潤滑油の流量と、前記給油入口から前記第２軸受部に供給される潤滑油の流量と、を制御する仕切板が設けられている
ことを特徴とする給油構造。
【請求項４】
前記内筒ブッシュ部、前記スリーブ部または前記外筒ブッシュ部には、前記給油入口から前記第１軸受部に供給される潤滑油の流量と、前記給油入口から前記第２軸受部に供給される潤滑油の流量と、を制御する縦溝部が設けられている
ことを特徴とする請求項３に記載の給油構造。
【請求項５】
外筒ブッシュ部を有する下部フレーム組立と、
前記外筒ブッシュ部に嵌合して回転される内筒ブッシュ部を保持するスリーブ部と前記スリーブ部の上部に延在するフランジ部とを有する偏心スリーブ組立と、
前記内筒ブッシュ部に嵌合して旋動されるマントルを保持する主軸組立と、
前記フランジ部に回転動力を伝達する回転動力伝達系と、
を備え、
旋動するマントルとコーンケーブとの間で被破砕物を破砕する旋動式破砕機であって、
前記主軸組立と前記内筒ブッシュ部との間の第１軸受部および前記スリーブ部と前記外筒ブッシュ部との間の第２軸受部にそれぞれ潤滑油を供給するための給油構造をさらに備え、
前記給油構造は、
前記下部フレーム組立の底部に開口する給油入口を有し、
前記給油入口は、前記第１軸受部の潤滑油および前記第２軸受部の潤滑油の両方を供給するようになっており、
前記スリーブ部の下端部と下部フレーム組立の底部との間には、前記給油入口から前記第１軸受部に供給される潤滑油の流量と、前記給油入口から前記第２軸受部に供給される潤滑油の流量と、を制御する仕切板が設けられている
ことを特徴とする旋動式破砕機。
【発明の詳細な説明】
【技術分野】
【０００１】
本発明は、旋動するマントルとコーンケーブとの間に原石等の被破砕物を供給して破砕する旋動式破砕機に関し、特に旋動式破砕機の給油方法および給油構造に関する。
【背景技術】
【０００２】
コーンクラッシャやジャイレトリクラッシャなどの旋動式破砕機は、旋動される主軸組立の上部に固定された漏斗状のマントルと、マントルを覆うように設けられたコーンケーブと、の間に形成される破砕室を備えた機械である。
【０００３】
コーンケーブの下方には外筒ブッシュ部を有する下部フレーム組立が配置されており、下部フレーム組立の外筒ブッシュ部には、偏心スリーブ組立のスリーブ部が嵌合されている。スリーブ部には、偏心スリーブ組立の回転軸線に対して傾斜する向きに延びる孔が形成されており、その傾斜する向きに延びる孔に、内筒ブッシュ部が嵌合されている。また、マントルが固定された主軸組立は、内筒ブッシュ部の偏心孔に嵌合されている。また、スリーブ部の上部または下部には、外筒ブッシュ部の外方に延びるフランジ部が延在しており、フランジ部の先端には回転動力伝達系が接続されている。回転動力伝達系からの回転動力により偏心スリーブ組立が回転することにより、主軸組立とマントルとが一体に内筒ブッシュ部の偏心孔の回転軸線回りに旋動される。
【０００４】
旋動式破砕機の上部に設けられたホッパから破砕室に原石が供給されると、旋動されるマントルとコーンケーブとの間に捕捉された原石が所定の粒度まで圧砕されて排出される。
【０００５】
ところで、偏心スリーブ組立のスリーブ部とフランジ部との位置関係に関して、フランジ部がスリーブ部の上部に延在するタイプ（以下、上部開放整備型と呼ぶ）と、フランジ部がスリーブ部の下部に延在するタイプ（以下、下部開放整備型と呼ぶ）とが知られている。たとえば特許文献１には、上部開放整備型の旋動式破砕機が開示されており、特許文献２には、下部開放整備型の旋動式破砕機が開示されている。
【０００６】
上部開放整備型の旋動式破砕機は、整備性に優れるが、各軸受部分において健全な油膜を維持するための給油量制御が困難である。一方、下部開放整備型の旋動式破砕機は、各軸受部分において健全な油膜を維持するための給油量制御は容易であるが、整備性は低い。
【先行技術文献】
【特許文献】
【０００７】
【特許文献１】特開２０１４−１０８３９０号公報
【特許文献２】特開平５−３４５１３６号公報
【発明の概要】
【発明が解決しようとする課題】
【０００８】
本発明は、このような点を考慮してなされたものである。本発明の目的は、整備性に優れる上部開放整備型でありながら、軸受部分おける健全な油膜維持のための給油量制御を可能とする旋動式破砕機の給油方法および給油構造を提供することにある。
【課題を解決するための手段】
【０００９】
本発明による給油方法は、外筒ブッシュ部を有する下部フレーム組立と、前記外筒ブッシュ部に嵌合して回転される内筒ブッシュ部を保持するスリーブ部と前記スリーブ部の上部に延在するフランジ部とを有する偏心スリーブ組立と、前記内筒ブッシュ部に嵌合して旋動されるマントルを保持する主軸組立と、前記フランジ部に回転動力を伝達する回転動力伝達系と、を備え、旋動するマントルとコーンケーブとの間で被破砕物を破砕する旋動式破砕機において、前記主軸組立と前記内筒ブッシュ部との間の第１軸受部および前記スリーブ部と前記外筒ブッシュ部との間の第２軸受部にそれぞれ潤滑油を供給するための給油方法であって、前記第１軸受部の潤滑油および前記第２軸受部の潤滑油の両方を、前記下部フレーム組立の底部に開口する給油入口から供給する。
【００１０】
本発明による給油方法において、前記内筒ブッシュ部、前記スリーブ部または前記外筒ブッシュ部に縦溝部を設けて、前記給油入口から前記第１軸受部に供給される潤滑油の流量と、前記給油入口から前記第２軸受部に供給される潤滑油の流量と、を制御してもよい。
【００１１】
本発明による給油方法において、前記スリーブ部の下端部と前記下部フレーム組立の底部との間に仕切板を設けて、前記給油入口から前記第１軸受部に供給される潤滑油の流量と、前記給油入口から前記第２軸受部に供給される潤滑油の流量と、を制御してもよい。
【００１２】
本発明による給油構造は、外筒ブッシュ部を有する下部フレーム組立と、前記外筒ブッシュ部に嵌合して回転される内筒ブッシュ部を保持するスリーブ部と前記スリーブ部の上部に延在するフランジ部とを有する偏心スリーブ組立と、前記内筒ブッシュ部に嵌合して旋動されるマントルを保持する主軸組立と、前記フランジ部に回転動力を伝達する回転動力伝達系と、を備え、旋動するマントルとコーンケーブとの間で被破砕物を破砕する旋動式破砕機において、前記主軸組立と前記内筒ブッシュ部との間の第１軸受部および前記スリーブ部と前記外筒ブッシュ部との間の第２軸受部にそれぞれ潤滑油を供給するための給油構造であって、前記下部フレーム組立の底部に開口する給油入口を有し、前記給油入口は、前記第１軸受部の潤滑油および前記第２軸受部の潤滑油の両方を供給するようになっている。
【００１３】
本発明による給油構造において、前記内筒ブッシュ部、前記スリーブ部または前記外筒ブッシュ部には、前記給油入口から前記第１軸受部に供給される潤滑油の流量と、前記給油入口から前記第２軸受部に供給される潤滑油の流量と、を制御する縦溝部が設けられていてもよい。
【００１４】
本発明による給油構造において、前記スリーブ部の下端部と前記下部フレーム組立の底部との間には、前記給油入口から前記第１軸受部に供給される潤滑油の流量と、前記給油入口から前記第２軸受部に供給される潤滑油の流量と、を制御する仕切板が設けられていてもよい。
【００１５】
本発明による旋動式破砕機は、外筒ブッシュ部を有する下部フレーム組立と、前記外筒ブッシュ部に嵌合して回転される内筒ブッシュ部を保持するスリーブ部と前記スリーブ部の上部に延在するフランジ部とを有する偏心スリーブ組立と、前記内筒ブッシュ部に嵌合して旋動されるマントルを保持する主軸組立と、前記フランジ部に回転動力を伝達する回転動力伝達系と、を備え、旋動するマントルとコーンケーブとの間で被破砕物を破砕する旋動式破砕機であって、前記主軸組立と前記内筒ブッシュ部との間の第１軸受部および前記スリーブ部と前記外筒ブッシュ部との間の第２軸受部にそれぞれ潤滑油を供給するための給油構造をさらに備え、前記給油構造は、前記下部フレーム組立の底部に開口する給油入口を有し、前記給油入口は、前記第１軸受部の潤滑油および前記第２軸受部の潤滑油の両方を供給するようになっている。
【発明の効果】
【００１６】
本発明によれば、整備性に優れる上部開放整備型でありながら、軸受部分おける健全な油膜維持のための給油量制御が可能である。
【図面の簡単な説明】
【００１７】
【図１】図１は、本発明の一実施の形態による旋動式破砕機を示す縦断面図である。
【図２】図２は、図１の旋動式破砕機における給油構造を拡大して示す概略図である。
【図３】図３は、縦溝部を説明するための図であって、図１の旋動式破砕機の軸受部分の横断面図である。
【図４】図４は、図２に対応する図面であって、給油構造の変形例を示す概略図である。
【図５】図５は、上部開放型の旋動式破砕機における給油構造の比較例を示す概略図である。
【発明を実施するための形態】
【００１８】
以下、図面を参照して、本発明の実施の形態について具体例を説明する。なお、本明細書に添付する図面においては、図示と理解のしやすさの便宜上、適宜縮尺および縦横の寸法比等を、実物のそれらから変更し誇張してある。
【００１９】
図１は、本発明の一実施の形態による旋動式破砕機を示す縦断面図である。
【００２０】
図１に示すように、本実施の形態による旋動式破砕機１０は、コーンケーブ１２を保持する上部フレーム組立１１と、上部フレーム組立１１の下方に配置された外筒ブッシュ部１３ａを有する下部フレーム組立１３と、外筒ブッシュ部１３ａの内側で回転される偏心スリーブ組立１４と、偏心スリーブ組立１４に嵌合して旋動されるマントル１７を保持する主軸組立１５と、偏心スリーブ組立１４に回転動力を伝達する回転動力伝達系２０と、を備えている。
【００２１】
このうち偏心スリーブ組立１４は、下部フレーム組立１３の外筒ブッシュ部１３ａに嵌合して回転される内筒ブッシュ部１４ａを保持するスリーブ部１４ｃと、スリーブ部１４ｃの上部に延在するフランジ部１４ｂと、を有している。フランジ部１４ｂは、スリーブ部１４ｃの上部から外筒ブッシュ部１３ａの外方に形成されたギア収容空間４０へと延びており、外筒ブッシュ部１３ａの上端部に設けられたスラストベアリング１９により下から支持されている。本実施の形態では、フランジ部１４ｂがスリーブ部１４ｃの上部に延在していることで、下部フレーム組立１３から偏心スリーブ組立１４を上方へ引き抜くことが可能となっている。フランジ部１４ｂの先端部には、ベベルギア２１ａが固定されている。ベベルギア２１ａは、外筒ブッシュ部１３ａの軸線と同軸状に配置されている。
【００２２】
回転動力伝達系２０は、駆動モータ（不図示）に連結された横軸２２と、横軸２２の一端部に固定されたベベルピニオン２１ｂと、を有している。横軸２２は、外筒ブッシュ部１３ａの軸線に対して直角な向きに向けられている。横軸２２の一端に固定されたベベルピニオン２１ｂは、ギア収容空間４０において、フランジ部１４ｂに固定されたベベルギア２１ａと噛み合うように配置されている。駆動モータの回転動力により横軸２２とベベルピニオン２１ｂとが一体に回転されると、ベベルピニオン２１ｂからベベルギア２１ａへと回転動力が伝達され、偏心スリーブ組立１４が外筒ブッシュ部１３ａの軸線回りに回転駆動される。
【００２３】
スリーブ部１４ｃには、外筒ブッシュ部１３ａの軸線に対して傾斜する向きに延びる貫通孔が形成されており、その傾斜する向きに延びる孔に、内筒ブッシュ部１４ａが嵌合されている。主軸組立１５は、内筒ブッシュ部１４ａに挿入されている。主軸組立１５の上部には、漏斗状のマントル１７が固定されている。
【００２４】
図示された例では、旋動式破砕機１０は、いわゆる油圧式コーンクラッシャであり、主軸組立１５の上端部は、上部フレーム組立１１に保持された軸受２３により支持されている。一方、主軸組立１５の下端部には、凸球面を有する主軸ステップ１５ａが固定されており、主軸ステップ１５ａの下方には、凹球面を有するステップ座金１３ｃと、ステップ座金１３ｃの裏面を支持する摩耗板１３ｂとが積み重ねられて配置されている。摩耗板１３ｂは、下部フレーム組立１３の底部、より詳しくは下部フレーム組立１３の下方に設置された油圧シリンダ組立のラム、に固定されている。主軸ステップ１５ａの凸球面とステップ座金１３ｃの凹球面とが摺動する摺動部を形成している。
【００２５】
回転動力伝達系２０により偏心スリーブ組立１４が回転されると、主軸組立１５は、軸受２３を支点として内筒ブッシュ部１４ａの回転軸線回りを歳差運動される。マントル１７は、主軸組立１５の歳差運動に応じてコーンケーブ１２に対して歳差運動され、マントル１７とコーンケーブ１２との間に挟まれた破砕室１８に供給される被破砕物を破砕するようになっている。
【００２６】
旋動式破砕機１０の運転中は、大きな負荷の掛かる主軸組立１５を円滑に歳差運動させるために、主軸組立１５と内筒ブッシュ部１４ａとの間の第１軸受部４１およびスリーブ部１４ｃと外筒ブッシュ部１３ａとの間の第２軸受部４２にそれぞれ適切な量の潤滑油を供給して健全な油膜を維持する必要がある。そのため、旋動式破砕機１０には、第１軸受部４１および第２軸受部４２にそれぞれ潤滑油を供給するための給油構造３０が設けられている。
【００２７】
図２は、給油構造３０を拡大して示す概略図である。図２において、矢印は潤滑油の流れる向きを示している。
【００２８】
図２に示すように、給油構造３０は、下部フレーム組立１３の底部、より詳しくは油圧シリンダ組立のラム中央部、に開口する給油入口３１を有している。この給油入口３１は、第１軸受部４１の潤滑油および第２軸受部４２の潤滑油の両方を供給するようになっている。
【００２９】
図３は、旋動式破砕機１０の軸受部分４１、４２の横断面図である。
【００３０】
本実施の形態では、図２および図３に示すように、内筒ブッシュ部１４ａの内周面およびスリーブ部１４ｃの外周面には、それぞれ、給油入口３１から第１軸受部４１に供給される潤滑油の流量と、給油入口３１から第２軸受部４２に供給される潤滑油の流量と、を制御する縦溝部５１、５２が設けられている。
【００３１】
内筒ブッシュ部１４ａの内周面に設けられた縦溝部５１は、第１軸受部４１に露出されており、スリーブ部１４ｃの外周面に設けられた縦溝部５２は、第２軸受部４２に露出されている。
【００３２】
第１軸受部４１に露出される縦溝部５１の断面積や数が大きいほど、第１軸受部４１の流路断面が大きくなり、すなわち第１軸受部４１への流量配分が大きくなる。また、第２軸受部４２に露出される縦溝部５２の断面積や数が大きいほど、第２軸受部４２の流路断面が大きくなり、すなわち第２軸受部４２への流量配分が大きくなる。よって、各軸受部４１、４２に露出される縦溝部５１、５２の断面積や数を適宜調整することで、各軸受部４１、４２の流量配分の相対的な割合を調整することができ、結果的に、給油入口３１から各軸受部４１、４２への給油配分量を容易に制御することができる。
【００３３】
図示された例では、摩耗板１３ｂの中央部およびステップ座金１３ｃの中央部をそれぞれ貫通するように貫通孔３６が形成されており、給油入口３１は、貫通孔３６の内側に開口している。図２に示すように、給油入口３１から貫通孔３６に導入される潤滑油は、摩耗板１３ｂとステップ座金１３ｃとの間の摺動部の内径側端部およびステップ座金１３ｃと主軸ステップ１５ａとの間の摺動部の内径側端部にそれぞれ流入し、各摺動部を潤滑させる。そして、各摺動部を通過した潤滑油は、各摺動部の外径側端部から主軸組立１５の下端部の外側の環状空間３７に流出する。
【００３４】
環状空間３７に流出した潤滑油の一部は、第１軸受部４１の下端部に流入して、第１軸受部４１を潤滑させる。そして、第１軸受部４１を通過した潤滑油は、第１軸受部４１の上端部から外筒ブッシュ部１３ａの外側のギア収容空間４０に流出し、ギア収容空間４０の床に溜まる潤滑油は、図１に示す給油出口３９から回収される。
【００３５】
一方、環状空間３７に流出した潤滑油の残りの部分は、スリーブ部１４ｃの下方を通って第２軸受部４２の下端部に流入し、第２軸受部４２を潤滑させる。そして、第２軸受部４２を通過した潤滑油は、第２軸受部４２の上端部から外筒ブッシュ部１３ａの外側のギア収容空間４０に流出し、ギア収容空間４０の床に溜まる潤滑油は、図１に示す給油出口３９から回収される。
【００３６】
ところで、図５は、上部開放型の旋動式破砕機における給油構造の比較例を示す概略図である。図５において、矢印は潤滑油の流れる向きを示している。図５に示すような上部開放整備型の旋動式破砕機では、第１軸受部１４１の潤滑油を下部フレーム組立１１３の底部に開口する第１給油入口１３１から供給するのに対し、第２軸受部１４２の潤滑油を外筒ブッシュ部１１３ａの円周面に開口する第２給油入口１３２から供給するようになっている。
【００３７】
しかしながら、この給油構造では、第１給油入口１３１から第１軸受部１４１に供給される潤滑油の流路と第２給油入口１３２から第２軸受部１４２に供給される潤滑油の流路とが構造的に分離されておらず、とくに第２軸受部１４２の給油出口側１５２と第１軸受部１４１の給油入口側１５１とが連通しているため、第１給油入口１３１から供給される潤滑油は、第１軸受部１４１だけでなく第２軸受部１４２へも流入してしまう。そのため、第２軸受部１４２のうち第２給油入口１３２より下方の領域では下向きの流れと上向きの流れとが混在して潤滑不良が生じるおそれがある。これにより、各軸受部１４１、１４２への給油配分量が不安定となり、とくに悪条件下においては健全な油膜維持が困難となる可能性がある。
【００３８】
また、図５に示す例では、第１給油入口１３１および第２給油入口１３２の２箇所から給油を行うために、潤滑油を給油するための配管材（不図示）を第１給油入口１３１および第２給油入口１３２の２箇所に接続する必要があり、配管が複雑である。
【００３９】
一方、図２に示すように、本実施の形態では、下部フレーム組立１３の底部に開口する給油入口３１が、第１軸受部４１の潤滑油および第２軸受部４２の潤滑油の両方を供給するようになっている。そのため、各軸受部４１、４２にはそれぞれ上向きの流れだけが形成され潤滑不良が生じるおそれは無い。これにより、各軸受部４１、４２への給油配分量が安定し、第１軸受部４１および第２軸受部４２において健全な油膜が維持されるように給油量を制御することが可能となる。
【００４０】
また、本実施の形態では、給油入口３１の１箇所から給油を行うため、潤滑油を給油するための配管材（不図示）を給油入口３１の１箇所だけに接続すればよく、配管が単純である。
【００４１】
次に、本実施の形態による旋動式破砕機１０の作用について説明する。
【００４２】
まず、給油入口３１から第１軸受部４１および第２軸受部４２の両方に潤滑油が供給される。本実施の形態では、第１軸受部４１の潤滑油および第２軸受部４２の潤滑油の両方を、下部フレーム組立１３の底部に開口する給油入口３１から供給するため、各軸受部４１、４２への給油配分量は安定しており、第１軸受部４１および第２軸受部４２において健全な油膜が維持されるように給油量を制御することが可能である。
【００４３】
また、本実施の形態では、内筒ブッシュ部１４ａの内周面およびスリーブ部１４ｃの外周面に、給油入口３１から第１軸受部４１に供給される潤滑油の流量と、給油入口３１から第２軸受部４２に供給される潤滑油の流量と、を制御する縦溝部５１、５２が設けられているため、第１軸受部４１および第２軸受部４２において健全な油膜が維持されるように給油量を容易に制御することができる。
【００４４】
次に、回転動力伝達系２０から偏心スリーブ組立１４のフランジ部１４ｂに回転動力が伝達され、偏心スリーブ組立１４が外筒ブッシュ部１３ａの軸線回りに回転される。偏心スリーブ組立１４の回転に伴って、内筒ブッシュ部１４ａに嵌合された主軸組立１５は、軸受２３を支点として歳差運動される。主軸組立１５に固定されたマントル１７は、主軸組立１５の歳差運動に応じてコーンケーブ１２に対して歳差運動され、回転ごとにマントル１７とコーンケーブ１２との間の間隙が広狭に変化される。
【００４５】
次に、上部フレーム組立１１の上部のホッパ２５から原石等の被破砕物が投入される。投入された被破砕物は、マントル１７とコーンケーブ１２との間に形成される破砕室１８に落下し、マントル１７とコーンケーブ１２との間に捕捉される。マントル１７が旋動されて、マントル１７とコーンケーブ１２との間の間隙が狭くなった時に、被破砕物の圧砕が行われる。
【００４６】
その後、マントル１７とコーンケーブ１２との間の間隙が広がると、被破砕物は、破砕室１８内においてマントル１７とコーンケーブ１２との間の間隙がより広くなる部分に落下し、マントル１７とコーンケーブ１２との間の間隙が再び狭くなった時に、さらに細かく圧砕される。被破砕物は、圧砕と落下とを繰り返して徐々に細かくなり、所定粒度の製品となってマントル１７とコーンケーブ１２との間の間隙を通って床に落下し、床の開口から機外に排出される。
【００４７】
旋動式破砕機１０の運転中は、第１軸受部４１および第２軸受部４２において健全な油膜が維持されるように十分な給油量が制御されることで、焼き付き等により軸受部分４１、４２が破損することが防止され得る。
【００４８】
以上のような本実施の形態によれば、偏心スリーブ組立１４のフランジ部１４ｂがスリーブ部１４ｃの上部に延在しているため、下部フレーム組立１３から偏心スリーブ組立１４を上方へ引き抜くことが可能であり、軸受部分４１、４２やギア２１ａ、２１ｂが破損した場合には、偏心スリーブ組立１４を上方へ引き抜くことで、各軸受部分４１、４２やギア２１ａ、２１ｂの整備作業を行うことができる。そのため、下部フレーム組立１３の下方に配置された油圧シリンダ組立を分解する必要がなく、かつ吊り荷の下に作業者が入って行う危険な作業も不要であり、下部開放整備型に比べて優れた整備性が得られる。
【００４９】
また、本実施の形態によれば、第１軸受部４１の潤滑油および第２軸受部４２の潤滑油の両方を、下部フレーム組立１３の底部に開口する給油入口３１から供給するため、各軸受部４１、４２への給油配分量は安定しており、第１軸受部４１および第２軸受部４２において健全な油膜が維持されるように給油量を制御することが可能である。これにより、焼き付き等により軸受部分４１、４２が破損することが防止され得る。
【００５０】
また、本実施の形態によれば、第１軸受部４１および第２軸受部４２の両方の給油を、給油入口３１の１箇所から行うため、潤滑油を給油するための配管材（不図示）を給油入口３１の１箇所だけに接続すればよく、配管が単純である。
【００５１】
また、本実施の形態によれば、内筒ブッシュ部１４ａの内周面およびスリーブ部１４ｃの外周面に、給油入口３１から第１軸受部４１に供給される潤滑油の流量と、給油入口３１から第２軸受部４２に供給される潤滑油の流量と、を制御する縦溝部５１、５２が設けられているため、各軸受部４１、４２に露出される縦溝部５１、５２の断面積や数を適宜調整することで、各軸受部４１、４２において健全な油膜が維持されるように給油量を容易に制御することができる。
【００５２】
なお、本実施の形態では、縦溝部５１、５２は、内筒ブッシュ部１４ａの内周面およびスリーブ部１４ｃの外周面の両方にそれぞれ設けられていたが、これに限定されず、内筒ブッシュ部１４ａの内周面およびスリーブ部１４ｃの外周面のいずれか一方のみに設けられていてもよい。また、縦溝部５２は、外筒ブッシュ部１５ａの内周面に設けられていてもよい。
【００５３】
なお、図１に示す例では、旋動式破砕機１０は、いわゆる油圧式コーンクラッシャであったが、これに限定されるものではない。たとえば機械式（サイモンズ式）コーンクラッシャに対しても、本実施の形態による給油構造３０を適用することは可能である。
【００５４】
上述した本実施の形態に対して様々な変更を加えることが可能である。以下、図面を参照しながら、変形例について説明する。以下の説明および以下の説明で用いる図面では、上述した本実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００５５】
図４は、給油構造３０の変形例を示す概略図である。
【００５６】
図４に示す給油構造３０では、スリーブ部１４ｃの下端部と下部フレーム組立１３の底部との間に、給油入口３１から第１軸受部４１に供給される潤滑油の流量と、給油入口３１から第２軸受部４２に供給される潤滑油の流量と、を制御する仕切板５３が設置されている。
【００５７】
図示された例では、仕切板５３は、円筒形状を有しており、環状空間３７を取り囲むように、下部フレーム組立１３の底部に固定されている。仕切板５３の上端部とスリーブ部１４ｃの下端部との間には、所定の大きさの隙間が形成されている。偏心スリーブ組立１４のフランジ部１４ｂがスラストベアリング１９により下から支持されているため、偏心スリーブ組立１４のスリーブ部１４ｃは一定の高さ位置に位置決めされ、これにより、仕切板５０の上端部とスリーブ部１４ｃの下端部との間の隙間は一定の間隔に維持されている。給油入口３１から供給される第２軸受部４２の潤滑油は、仕切板５３の上端部とスリーブ部１４ｃの下端部との間の隙間を通過した後で、第２軸受部４２に流入するようになっている。
【００５８】
図４に示す態様によれば、仕切板５３の上端部とスリーブ部１４ｃの下端部との間の隙間の大きさを調整することで、給油入口３１から第１軸受部４１に供給される潤滑油の流量と、給油入口３１から第２軸受部４２に供給される潤滑油の流量と、を容易に制御することが可能である。
【００５９】
なお、上述した個々の実施の形態により開示する発明が限定されるものではない。各実施の形態は、処理内容を矛盾させない範囲で適宜組み合わせることが可能である。
【符号の説明】
【００６０】
１０    旋動式破砕機
１１    上部フレーム組立
１２    コーンケーブ
１３    下部フレーム組立
１３ａ  外筒ブッシュ部
１３ｂ  摩耗板
１３ｃ  ステップ座金
１４    偏心スリーブ組立
１４ａ  内筒ブッシュ部
１４ｂ  フランジ部
１４ｃ  スリーブ部
１５    主軸組立
１５ａ  主軸ステップ
１７    マントル
１８    破砕室
１９    スラストベアリング
２０    回転動力伝達系
２１ａ  ベベルギア
２１ｂ  ベベルピニオン
２２    横軸
２３    軸受
２５    ホッパ
３０    給油構造
３１    給油入口
３６    貫通孔
３７    環状空間
３９    給油出口
４０    ギア収容空間
４１    第１軸受部
４２    第２軸受部
５１    縦溝部
５２    縦溝部
５３    仕切板
【図１】
0006567299.tif 000002
【図２】
0006567299.tif 000003
【図３】
0006567299.tif 000004
【図４】
0006567299.tif 000005
【図５】
0006567299.tif 000006